(57)【要約】【課題】電子機器ユニットの不用意な着脱操作を防止するとともに、電子機器ユニットの着脱操作を容易にする。【解決手段】電源ユニット１０は、電源投入状態で電源スイッチ５０を電源投入、電源遮断のいずれの状態にも切替操作可能とする。電源ユニット１０は、電源スイッチ５０を電源遮断状態にすることで、スイッチカバー４０が電源スイッチ５０の操作部と干渉することなく右側にスライド可能となる。電源ユニット１０は、スイッチカバー４０が右側にスライドすることで、ロック解除ボタン２０の押下操作を許容する。電源着脱レバー３０は、ロック解除ボタン２０の押下操作によりロックを解除して操作することができる。電源ユニット１０は、電源着脱レバー３０を操作することにより着脱可能となる。【選択図】図２
2011222730.tif 000002
【特許請求の範囲】
【請求項１】
筐体に着脱自在に搭載される電子機器ユニットの着脱機構において、
前記電子機器ユニットの第１状態と第２状態とを切替可能な位置保持型スイッチと、
前記電子機器ユニットを前記筐体に固定する固定状態と、前記電子機器ユニットを前記筺体から着脱可能とする着脱可能状態とを切替可能なレバーと、
前記レバーの状態切替を規制する規制状態と、前記レバーの状態切替を許容する許容状態とを切替可能な第１規制部材と、
前記第１規制部材の状態切替を規制するとともに前記位置保持型スイッチの状態切替を許容する第１の位置と、前記第１規制部材の状態切替を許容するとともに前記位置保持型スイッチの前記第１状態から前記第２状態への状態切替を規制する第２の位置との間を移動可能な第２規制部材と、
を備えることを特徴とする電子機器ユニットの着脱機構。
【請求項２】
前記位置保持型スイッチは、前記第２状態において前記第２規制部材の前記第２の位置から前記第１の位置への移動を規制することを特徴とする請求項１記載の電子機器ユニットの着脱機構。
【請求項３】
前記レバーは、前記着脱可能状態において前記第１規制部材の前記許容状態を保持し、
前記許容状態にある前記第１規制部材は、前記第２規制部材が前記第２の位置から前記第１の位置に移動することを規制することを特徴とする請求項２記載の電子機器ユニットの着脱機構。
【請求項４】
前記固定状態は、前記電子機器ユニットの前記筐体への装着を規制することを特徴とする請求項３記載の電子機器ユニットの着脱機構。
【請求項５】
前記第２規制部材は、前記第１の位置と前記第２の位置との間をスライド移動することを特徴とする請求項３記載の電子機器ユニットの着脱機構。
【請求項６】
前記電子機器ユニットは、前記位置保持型スイッチを操作するための操作窓を有する前面カバーを備え、
前記第２規制部材は、前記スライド移動させるための操作部を、前記操作窓に臨ませて備えることを特徴とする請求項５記載の電子機器ユニットの着脱機構。
【請求項７】
前記位置保持型スイッチは、前記第１状態と前記第２状態とを切替操作するための切替操作部を有し、
前記切替操作部は、前記第１状態で前記第２規制部材の可動範囲から退避し、前記第２状態で前記第２規制部材の可動範囲に干渉することを特徴とする請求項３記載の電子機器ユニットの着脱機構。
【請求項８】
前記位置保持型スイッチは、前記第１状態と前記第２状態とを切替操作するための切替操作部を有し、
前記第２規制部材は、前記第１の位置で前記切替操作部の可動範囲から退避し、前記第２の位置で前記切替操作部の可動範囲に干渉することを特徴とする請求項３記載の電子機器ユニットの着脱機構。
【請求項９】
前記第２規制部材は、前記第２の位置で前記切替操作部の一部を操作者側から遮蔽することを特徴とする請求項８記載の電子機器ユニットの着脱機構。
【請求項１０】
前記電子機器ユニットは、前記電子機器ユニットの内部を換気するための通気口を有する前面カバーを備え、
前記レバーは、前記固定状態となる位置で前記通気口の前面に位置する把持部に通気窓を備えることを特徴とする請求項３記載の電子機器ユニットの着脱機構。
【請求項１１】
前記第２規制部材は、前記第１の位置で前記通気口の背面に位置する通気窓を備えることを特徴とする請求項１０記載の電子機器ユニットの着脱機構。
【請求項１２】
筐体に着脱自在に搭載される電子機器ユニットにおいて、
前記電子機器ユニットの第１状態と第２状態とを切替可能な位置保持型スイッチと、
前記電子機器ユニットを前記筐体に固定する固定状態と、前記電子機器ユニットを前記筺体から着脱可能とする着脱可能状態とを切替可能なレバーと、
前記レバーの状態切替を規制する規制状態と、前記レバーの状態切替を許容する許容状態とを切替可能な第１規制部材と、
前記第１規制部材の状態切替を規制するとともに前記位置保持型スイッチの状態切替を許容する第１の位置と、前記第１規制部材の状態切替を許容するとともに前記位置保持型スイッチの前記第１状態から前記第２状態への状態切替を規制する第２の位置との間を移動可能な第２規制部材と、
を備えることを特徴とする電子機器ユニット。
【請求項１３】
筐体に着脱自在に搭載される電源ユニットにおいて、
前記電源ユニットの第１状態と第２状態とを切替可能な位置保持型スイッチと、
前記電源ユニットを前記筐体に固定する固定状態と、前記電源ユニットを前記筺体から着脱可能とする着脱可能状態とを切替可能なレバーと、
前記レバーの状態切替を規制する規制状態と、前記レバーの状態切替を許容する許容状態とを切替可能な第１規制部材と、
前記第１規制部材の状態切替を規制するとともに前記位置保持型スイッチの状態切替を許容する第１の位置と、前記第１規制部材の状態切替を許容するとともに前記位置保持型スイッチの前記第１状態から前記第２状態への状態切替を規制する第２の位置との間を移動可能な第２規制部材と、
を備えることを特徴とする電源ユニット。
【請求項１４】
筐体に電子機器ユニットを着脱自在に搭載する電子機器装置において、
前記筐体は、前記電子機器ユニットを係止する係止部を備え、
前記電子機器ユニットは、
前記電子機器ユニットの第１状態と第２状態とを切替可能な位置保持型スイッチと、
前記電子機器ユニットを前記係止部と係合する係合状態と、前記電子機器ユニットを前記筺体から着脱可能とする着脱可能状態とを切替可能なレバーと、
前記レバーの状態切替を規制する規制状態と、前記レバーの状態切替を許容する許容状態とを切替可能な第１規制部材と、
前記第１規制部材の状態切替を規制するとともに前記位置保持型スイッチの状態切替を許容する第１の位置と、前記第１規制部材の状態切替を許容するとともに前記位置保持型スイッチの前記第１状態から前記第２状態への状態切替を規制する第２の位置との間を移動可能な第２規制部材と、
を備えることを特徴とする電子機器装置。
【発明の詳細な説明】
【技術分野】
【０００１】
本発明は、筐体に着脱自在に搭載される電子機器ユニットの着脱機構、電子機器ユニット、電源ユニット、および電子機器装置に関する。
【背景技術】
【０００２】
筐体に電源ユニットなどの電子機器ユニットを着脱自在に搭載する電子機器装置が知られているが、電源ユニットに供給される電源を遮断しないまま筺体から電源ユニットを取り外すことができる電子機器装置がある。また、電源ユニットの電源スイッチを投入状態にしたまま電子機器ユニットを筺体に装着することができる電子機器装置がある。
【０００３】
このような電源ユニットの不用意な着脱操作は、電源ユニット側の電源コネクタと筐体側の電源コネクタとの接続端子部の溶着などの不具合を引き起こす原因となっていた。また、電源ユニットの不用意な着脱操作は、電源ユニットの故障、電源ユニットを搭載する電子機器装置の故障、さらには、電子機器装置が接続するシステムダウンなどを引き起こす原因となることもあった。
【０００４】
そこで、電源ユニットの電源スイッチと着脱操作のためのロック解除部とを近接して相互に干渉するように設けることで、電源ユニットの電源スイッチを投入状態にしたままでの不用意な着脱操作を防止する技術（たとえば、特許文献１参照）の提案がある。
【０００５】
また、同様の技術として、端末装置の電源スイッチを投入状態にしたままでのコネクタの不用意な着脱操作を防止する技術（たとえば、特許文献２参照）の提案がある。
【先行技術文献】
【特許文献】
【０００６】
【特許文献１】特開２００５−１９７５３６号公報
【特許文献２】特開２００８−９１１２０号公報
【発明の概要】
【発明が解決しようとする課題】
【０００７】
しかしながら、電源スイッチと着脱操作を規制する部材を干渉させた場合、無理な着脱操作により電源スイッチや着脱操作を規制する部材を破損することがある。また、着脱操作を規制する部材が大型化、重量化するなどして、着脱操作を規制する部材が操作部として扱いにくいものになる場合がある。
【０００８】
本発明は、このような点に鑑みてなされたものであり、電子機器ユニットの不用意な着脱操作を防止するとともに、電子機器ユニットの着脱操作を容易にする電子機器ユニットの着脱機構、電子機器ユニット、電源ユニット、および電子機器装置の提供を目的とする。
【課題を解決するための手段】
【０００９】
上記課題を解決するために、筐体に着脱自在に搭載される電子機器ユニットの着脱機構は、位置保持型スイッチと、レバーと、第１規制部材と、第２規制部材とを備える。位置保持型スイッチは、電子機器ユニットの第１状態と第２状態とを切り替える。レバーは、電子機器ユニットを筐体に固定する固定状態と、電子機器ユニットを筺体から着脱可能とする着脱可能状態とを切り替える。第１規制部材は、レバーの状態切替を規制する規制状態と、レバーの状態切替を許容する許容状態とを切り替える。第２規制部材は、第１規制部材の状態切替を規制するとともに位置保持型スイッチの状態切替を許容する第１の位置と、第１規制部材の状態切替を許容するとともに位置保持型スイッチの第１状態から第２状態への状態切替を規制する第２の位置との間を移動する。
【００１０】
電子機器ユニットは、所定の機能を有する電子機器を搭載するユニットである。たとえば、電子機器ユニットは、情報処理機能を有する情報処理ユニット、信号交換機能を有する信号交換ユニット、通信機能を有する通信ユニットなどがある。また、電子機器ユニットは、入力電源（たとえば、商用電源）から所定の電源を生成し負荷側に供給する電源ユニットを含む概念である。
【００１１】
また、上記課題を解決するために、電子機器ユニットを着脱自在に搭載する電子機器装置の筐体は、着脱自在に搭載する電子機器ユニットを係止する係止部を備える。電子機器装置の筐体に着脱自在に搭載される電子機器ユニットは、位置保持型スイッチと、レバーと、第１規制部材と、第２規制部材を備える。
【００１２】
位置保持型スイッチは、電子機器ユニットの第１状態と第２状態とを切り替える。レバーは、電子機器ユニットを係止部と係合する係合状態と、電子機器ユニットを筺体から着脱可能とする着脱可能状態とを切り替える。第１規制部材は、レバーの状態切替を規制する規制状態と、レバーの状態切替を許容する許容状態とを切り替える。第２規制部材は、第１規制部材の状態切替を規制するとともに位置保持型スイッチの状態切替を許容する第１の位置と、第１規制部材の状態切替を許容するとともに位置保持型スイッチの第１状態から第２状態への状態切替を規制する第２の位置との間を移動する。
【発明の効果】
【００１３】
上記の電子機器ユニットの着脱機構、電子機器ユニット、電源ユニット、および電子機器装置によれば、電子機器ユニットの不用意な着脱操作を防止するとともに、電子機器ユニットの着脱操作を容易にする。
【図面の簡単な説明】
【００１４】
【図１】第１の実施形態の電子機器装置の一部正面図である。
【図２】第１の実施形態の電源ユニットの斜視図である。
【図３】第１の実施形態の電源ユニットの分解斜視図である。
【図４】第１の実施形態の電源ユニットの着脱操作を説明する図である。
【図５】第１の実施形態の着脱機構の斜視図である。
【図６】第１の実施形態の着脱機構の斜視図である。
【図７】第１の実施形態の着脱機構の斜視図である。
【図８】第１の実施形態の着脱機構の斜視図である。
【図９】第１の実施形態の電源ユニットの正面図である。
【図１０】第１の実施形態の電源ユニットの一部断面図である。
【図１１】第１の実施形態の電源ユニットの一部断面図である。
【図１２】第１の実施形態の電源ユニットの一部断面図である。
【図１３】第１の実施形態の電源ユニットの一部断面図である。
【図１４】第２の実施形態の電源スイッチとスイッチカバーの関係を示す図である。
【図１５】第３の実施形態の電源スイッチとスイッチカバーの関係を示す図である。
【発明を実施するための形態】
【００１５】
以下、本発明の実施の形態を図面を参照して詳細に説明する。まず、第１の実施形態の電子機器装置、電子機器ユニット、および電源ユニットについて図１から図３を用いて説明する。図１は、第１の実施形態の電子機器装置の一部正面図である。図２は、第１の実施形態の電源ユニットの斜視図である。図３は、第１の実施形態の電源ユニットの分解斜視図である。
【００１６】
電子機器装置１は、用途や必要とする能力に応じて、電子機器ユニット３、電源ユニット１０を選択的に搭載する。電子機器装置１は、たとえば、ラックマウント型サーバや、ディスクアレイ装置、ルータやレイヤ３スイッチなど通信を制御するネットワーク機器、映像信号や音声信号を切替制御するスイッチャーなどである。電子機器装置１は、電子機器収納ラック２に電子機器ユニット３、電源ユニット１０を着脱可能に搭載する。
【００１７】
電子機器収納ラック２は、収納空間をラックガイド４（マウントレール）により区画し、各区画にユニット単位で電子機器ユニット３、電源ユニット１０を収納して搭載する。電子機器収納ラック２は、各区画に電源を供給する電源供給ライン、各区画を信号接続する信号ラインを備える。
【００１８】
ラックガイド４は、収納空間を区画する区画部材として機能するほか、電子機器ユニット３、電源ユニット１０を各区画に案内する案内部材として機能する。また、ラックガイド４は、電子機器ユニット３、電源ユニット１０を各区画に係止するためのユニット係止部５を備え、電子機器ユニット３、電源ユニット１０を各区画に係止する係止部材としても機能する。
【００１９】
電子機器ユニット３は、電子機器収納ラック２の各区画に収納されることで、電子機器ユニット３の背面側にあるコネクタと電子機器収納ラック２のコネクタとが接続し、電子機器ユニット３と電子機器収納ラック２の電源供給ライン、入出力信号ラインが接続する。電子機器ユニット３は、所定の機能を有する電子機器を搭載する。
【００２０】
たとえば、電子機器ユニット３は、情報処理機能を有する場合に情報処理ユニットとなる。より具体的には、情報処理ユニットは、たとえば、サーバ機能を有するサーバユニットであり、この場合に電子機器装置１は、データセンタなどに設置されるサーバである。また、電子機器ユニットは、通信機能を有する場合に通信ユニットとなる。より具体的には、通信ユニットは、たとえば、ルーティング機能等を有するルータユニットやレイヤ３スイッチユニットであり、この場合に電子機器装置１は、インターネットサービスプロバイダなどに設置されるセンタールータである。また、電子機器ユニットは、信号交換機能を有する場合に信号交換ユニットとなる。より具体的には、信号交換ユニットは、たとえば、スイッチング機能等を有する映像信号交換ユニットや音声信号交換ユニットであり、この場合に電子機器装置１は、放送局などに設置されるスイッチャーである。
【００２１】
電源ユニット１０は、電子機器収納ラック２の各区画に収納されることで、電源ユニット１０の背面側にあるコネクタと電子機器収納ラック２のコネクタとが接続し、電源ユニット１０と電子機器収納ラック２の電源供給ライン、入出力信号ラインが接続する。電源ユニット１０は、電子機器収納ラック２を介して商用電源を入力し、電子機器収納ラック２を介して負荷側となる電子機器ユニット３に所定の電源を供給する。電子機器装置１は、必要とされる電力量に応じて、１台、または複数台の電源ユニット１０を搭載する。
【００２２】
ここで、電源ユニット１０の外観について説明する。電源ユニット１０は、電子機器ユニット３または電源ユニット１０を載置する載置台を、左右１対のラックガイド４で区画した領域に収納されて電子機器収納ラック２に搭載される。
【００２３】
電源ユニット１０は、電源スイッチ基板５３、ファン８０、ファン８１、図示しない電源基板を内部に備える直方体形状の箱体である。電源ユニット１０は、前面に表示部１２、表示部１３、ロック解除ボタン２０、電源着脱レバー３０、スイッチカバー４０、電源スイッチ５０、前面カバー６０、上面に天板１１、板ばね１４を有する。また、電源ユニット１０は、後面に図示しないコネクタ部、底面にも図示しない板ばねを有する。
【００２４】
前面カバー６０は、通風開口部６１と、操作開口部６２と、表示部１２と表示部１３の開口部を有する。通風開口部６１は、電源ユニット１０の通風孔（換気口）であり、ファン８０の正面に位置する。操作開口部６２は、作業者が電源スイッチ５０の操作をおこなうための開口である。また、操作開口部６２は、作業者がスイッチカバー４０のスライド操作をおこなうための開口である。
【００２５】
電源スイッチ基板５３は、表示部１２、表示部１３、電源スイッチ５０を基板上に実装する。表示部１２と表示部１３は、電源スイッチ基板５３に装着されたＬＥＤ（Light Emitting Diode：発光ダイオード）であり、電源ユニット１０の動作状態を発光態様（発光色、点灯、消灯、点滅周期など）により報知する。
【００２６】
電源スイッチ５０は、電源ユニット１０を電源遮断（ＯＦＦ）状態と、電源投入（ＯＮ）状態とに切替可能な位置保持型スイッチ（ロッカスイッチ）である。
スイッチカバー４０は、前面から見て左右方向にスライド移動することによりロック解除ボタン２０の動作を規制する。
【００２７】
電源着脱レバー３０は、ロック解除ボタン２０を前面側から押した状態で、前面から見て左側を回転軸にした所定範囲で回る。電源着脱レバー３０は、電源着脱レバー３０を倒した状態（図２参照）でユニット係止部５と嵌合し、電源ユニット１０を電子機器収納ラック２に固定する。電源着脱レバー３０は、電源着脱レバー３０を回した状態でユニット係止部５との嵌合を解いて、電源ユニット１０を前面側に引き出す。
【００２８】
次に、第１の実施形態の電源ユニット１０の着脱操作について図４を用いて説明する。図４は、第１の実施形態の電源ユニットの着脱操作を説明する図である。
図４（ａ）は、電源スイッチ５０の操作部が電源投入側に倒れ、電源投入状態となっている電源ユニット１０を示す。この状態において、操作開口部６２とスイッチカバー４０の操作開口部４１は、略同一位置で開口する。なお、操作開口部４１は、作業者が電源スイッチ５０の操作をおこなうための開口である。操作開口部６２と操作開口部４１の略同一位置の開口により、電源スイッチ５０は、電源投入、電源遮断のいずれの状態にも切替操作が可能である。
【００２９】
この状態においてスイッチカバー４０は、ロック解除ボタン２０の押下操作を規制する。電源着脱レバー３０は、スイッチカバー４０によりロック解除ボタン２０の押下操作が規制されているためロックが解除されず動かすことができない。また、この状態において、電源投入側に倒れている電源スイッチ５０の操作部は、電源遮断側が立ち上がる。電源遮断側が立ち上がった電源スイッチ５０の操作部は、操作開口部４１と干渉し、スイッチカバー４０が右側にスライドすることを規制する。
【００３０】
図４（ｂ）は、電源スイッチ５０の操作部が電源遮断側に倒れ、電源遮断状態となっている電源ユニット１０を示す。この状態において、電源遮断側に倒れている電源スイッチ５０の操作部は、電源投入側が立ち上がる。スイッチカバー４０は、電源遮断側が倒れた電源スイッチ５０の操作部と干渉することなく右側にスライド可能となる。さらにスライドするスイッチカバー４０は、電源スイッチ５０の操作部と干渉する前に、後述するストッパ部によりスライド量が規制される。スイッチカバー４０のスライド量の規制は、スイッチカバー４０と電源スイッチ５０の操作部との干渉による電源スイッチ５０の誤操作を防止する。
【００３１】
図４（ｃ）は、スイッチカバー４０が右側にスライドしている電源ユニット１０を示す。この状態において、操作開口部６２とスイッチカバー４０の操作開口部４１は、位置を違えて開口する。したがって、実質的な操作開口が縮小し、操作者は、電源スイッチ５０の操作が規制されている状態であることを感得できる。スイッチカバー４０は、電源遮断側が倒れた電源スイッチ５０の操作部と干渉しない位置にあるが、電源スイッチ５０の操作部が電源投入側に倒れると干渉するため、電源スイッチ５０の電源投入操作を規制する。
【００３２】
この状態においてスイッチカバー４０は、ロック解除ボタン２０の押下操作を許容する。電源着脱レバー３０は、スイッチカバー４０によりロック解除ボタン２０の押下操作が許容されるため、ロック解除ボタン２０の押下操作によりロックを解除して動かす（操作する）ことができる。
【００３３】
このように、電源ユニット１０は、電源投入状態で電源ユニット１０を取り外すための電源着脱レバー３０を操作することができないから電源ユニット１０の不用意な着脱操作を防止する。また、電源ユニット１０は、電源着脱レバー３０を操作可能な状態で電源投入状態とすることができないから電源ユニット１０の不用意な装着操作を防止する。
【００３４】
このように、電源ユニット１０の着脱のための操作部（電源着脱レバー３０）と、電源スイッチ５０の操作規制部（スイッチカバー４０）とが分離しているため、操作者は、それぞれの操作を容易におこなうことができる。また、電源ユニット１０の着脱のための操作部と、電源スイッチ５０の操作規制部とを同時操作できないため、操作者の誤操作を防止できる。
【００３５】
次に、第１の実施形態の電源ユニット１０の着脱機構の動作について図５から図８を用いて説明する。図５から図８は、第１の実施形態の着脱機構の斜視図である。
図５に図示したスイッチカバー４０と、ロック解除ボタン２０と、電源着脱レバー３０は、電源スイッチ５０の操作部を操作可能としたときの相互の位置関係を表す。
【００３６】
スイッチカバー４０は、前面から見て左側にスライド移動してロック解除ボタン２０のロック解除操作を規制する位置（ロック解除操作規制位置）にある。ロック解除操作規制位置は、電源スイッチ５０の操作部の切替を許容する位置（スイッチ状態切替許容位置）でもある。
【００３７】
ロック解除ボタン２０は、図示しない弾性部材（バネ）により前面側から見て手前側に付勢され、ロック解除規制部４４の移動範囲から退避した退避位置にある。退避位置は、電源着脱レバー３０の回動を規制する位置（電源着脱操作規制位置）でもある。電源着脱レバー３０は、係合部３２がユニット係止部５に係合して電源ユニット１０を電子機器収納ラック２に固定した固定位置にある。
【００３８】
ここで、スイッチカバー４０と、ロック解除ボタン２０と、電源着脱レバー３０の各部について説明する。
スイッチカバー４０は、段差を有する略板状（クランク形状）の樹脂成形品である。スイッチカバー４０は、前面側から見て前段の右端側に操作開口部４１、前段の段差側に通風開口部４３、後段にロック解除規制部４４を有する。さらに、スイッチカバー４０は、操作開口部４１の操作者がスイッチカバー４０のスライド移動を容易にするためのつまみとなるスライド操作部４２を操作開口部４１の右（中央側）端部に有する。
【００３９】
ロック解除規制部４４は、スライド移動によりロック解除ボタン２０の可動範囲に進出、または可動範囲から後退する。ロック解除規制部４４は、進出状態（ロック解除操作規制位置）でロック解除ボタン２０の当接部２１と干渉してロック解除操作を規制する。
【００４０】
ロック解除ボタン２０は、略柱状の樹脂成形品である。ロック解除ボタン２０は、可動方向に対して一端となる押下操作端部を電源着脱レバー３０の通風開口部３１から臨ませるようにして有する。ロック解除ボタン２０は、可動方向に対して他端に、ロック解除規制部４４に当接部２１を有する。ロック解除ボタン２０は、側面で電源着脱レバー３０と当接して電源着脱レバー３０の回動を規制する。
【００４１】
電源着脱レバー３０は、略Ｌ字形状であって、Ｌ字短辺に係合部３２、回動軸３３を、把持部となるＬ字長辺に通風開口部３１を有する。電源着脱レバー３０は、回動軸３３でユニットガイド７０に軸支される。ユニットガイド７０は、筐体取付部７２で電源ユニット１０の筐体に取り付けられる。
【００４２】
なお、通風開口部３１は、電源着脱レバー３０が固定位置にあるとき、通風開口部６１の前面に位置して電源ユニット１０の通風口（通気窓）となる。また、通風開口部４３は、スイッチカバー４０がスイッチ状態切替許容位置にあるとき、通風開口部６１の裏面に位置して電源ユニット１０の通風口となる。これにより、電源ユニット１０の着脱機構は、操作性の向上を図りながら、電源ユニット１０が電源投入状態にあっても電源ユニット１０の冷却性能を損なわない。
【００４３】
図６に図示したスイッチカバー４０と、ロック解除ボタン２０と、電源着脱レバー３０は、電源ユニット１０を電源遮断状態として、スイッチカバー４０を右方向（図中矢印方向）にスライドして電源スイッチ５０の操作部を操作不能としたときの相互の位置関係を表す。
【００４４】
スイッチカバー４０は、前面から見て右側にスライド移動してロック解除ボタン２０のロック解除操作を許容する位置（ロック解除操作許容位置）にある。ロック解除操作許容位置は、電源スイッチ５０を電源遮断状態にして、電源スイッチ５０の操作部の切替を規制する位置（スイッチ状態切替規制位置）でもある。
【００４５】
ロック解除ボタン２０は、弾性部材により手前側に付勢されて、ロック解除規制部４４の移動範囲から退避した退避位置にある。このときのロック解除ボタン２０は、スイッチカバー４０がロック解除操作許容位置にあるので、当接部２１は、ロック解除規制部４４と干渉することがない。したがって、ロック解除ボタン２０は、押下操作可能な状態にある。電源着脱レバー３０は、係合部３２がユニット係止部５に係合して電源ユニット１０を電子機器収納ラック２に固定した固定位置にある。
【００４６】
なお、スイッチカバー４０のスライド移動量は、ストッパ部４５が前面カバー６０に突き当たる位置までに制限される。このとき、操作開口シャッタ部４６が操作開口部６２に臨み、操作開口部６２の開口範囲を制限する。操作開口シャッタ部４６は、操作開口部６２の操作開口を遮蔽する。これにより、操作者は、電源スイッチ５０の操作が規制されている状態であることを感得できる。
【００４７】
図７に図示したスイッチカバー４０と、ロック解除ボタン２０と、電源着脱レバー３０は、スイッチカバー４０を右方向にスライドした状態で、ロック解除ボタン２０を前面から見て奥手方向（図中矢印方向）に押下操作したときの相互の位置関係を表す。
【００４８】
スイッチカバー４０は、ロック解除操作許容位置にある。ロック解除ボタン２０は、付勢力に抗した押下操作により、ロック解除規制部４４の移動範囲に進出して、電源着脱レバー３０の回動の規制を解除する位置（電源着脱操作規制解除位置）にある。電源着脱操作規制解除位置にあるロック解除ボタン２０は、前面から見て左側へのスイッチカバー４０のスライド移動を規制する。電源着脱レバー３０は、係合部３２がユニット係止部５に係合して電源ユニット１０を電子機器収納ラック２に固定した固定位置にある。
【００４９】
ロック解除ボタン２０は、側面に凹部（図１３で後述するつめ受入部）を有する。電源着脱レバー３０は、電源着脱操作規制位置にあるロック解除ボタン２０と干渉した部位（図１３で後述するつめ）が電源着脱操作規制解除位置にあるロック解除ボタン２０の凹部に受け入れ可能とすることで回動の規制が解除される。
【００５０】
図８に図示したスイッチカバー４０と、ロック解除ボタン２０と、電源着脱レバー３０は、ロック解除ボタン２０を押下操作した状態で、電源着脱レバー３０を上から見て時計回り方向（図中矢印方向）に回動操作したときの相互の位置関係を表す。
【００５１】
スイッチカバー４０は、ロック解除操作許容位置にある。ロック解除ボタン２０は、電源着脱操作規制解除位置にある。電源着脱レバー３０は、係合部３２がユニット係止部５との係合を解いて、電源ユニット１０を電子機器収納ラック２から引き出した着脱可能位置にある。
【００５２】
電源着脱レバー３０の回動の規制が解除された状態で、操作者は、回動軸３３を回動軸にして図中矢印方向に回動するように電源着脱レバー３０を手前側に引くことができる。
着脱可能位置にある電源着脱レバー３０は、係合部３２がユニット係止部５との係合を解く。また、着脱可能位置にある電源着脱レバー３０は、電源ユニット１０の背面側にあるコネクタと電子機器収納ラック２のコネクタとの接続を解除する位置まで、電子機器収納ラック２から電源ユニット１０を引き出す。
【００５３】
次に、第１の実施形態の電源ユニット１０の着脱時の動作について図９から図１３を用いて説明する。図９は、第１の実施形態の電源ユニットの正面図である。図１０から図１３は、第１の実施形態の電源ユニットの一部断面図である。
【００５４】
図１０から図１３に図示する電源ユニット１０は、矢印方向から見たＡ−Ａ断面図（図９参照）である。なお、図１０から図１３に図示する電源ユニット１０の説明では、電源着脱レバー３０とロック解除ボタン２０の関係の理解を容易にするため、電源着脱レバー３０を線Ｂ（図９参照）でカットしたカットモデルを用いる。また、図１０から図１３は、電源ユニット１０の着脱時の異なる状態を図示するため、図９に図示する電源ユニット１０の状態と必ずしも一致しない。
【００５５】
図１０に図示した電源ユニット１０は、電源投入状態で電子機器収納ラック２に固定されている。
電源ユニット１０は、ユニットガイド７０とユニット係止部５ａが当接して、また、前面カバー６０とユニット係止部５ｂが当接して、ラックガイド４ａとラックガイド４ｂの間に案内されて、電子機器収納ラック２に収納される。電源ユニット１０は、係合部３２がユニット係止部５ａに係合して、電子機器収納ラック２に固定される。
【００５６】
スイッチカバー４０は、ロック解除操作規制位置にあり、ロック解除規制部４４と当接部２１が当接してロック解除ボタン２０の押下操作を規制する。
電源スイッチ５０の可動操作部５１（切替操作部）は、スイッチカバー４０と干渉しないので切替操作が自在である。また、電源投入状態の電源スイッチ５０の可動操作部５１は、電源投入側に倒れ、電源遮断側が起き上がっているので、可動操作部５１と当接部４７との干渉によりスイッチカバー４０の右方向へのスライド移動を規制する。
【００５７】
ロック解除ボタン２０は、長孔２２の中に回動軸３３があり、長孔２２の長径方向で可動範囲が規制されている。電源着脱レバー３０は、ロック解除ボタン２０の側面につめ３４が当接して電源着脱レバー３０の時計回り方向の回動が規制されている。
【００５８】
図１１に図示した電源ユニット１０は、電源遮断状態で電子機器収納ラック２に固定されている。
スイッチカバー４０は、ロック解除操作規制位置にあり、ロック解除規制部４４と当接部２１が当接してロック解除ボタン２０の押下操作を規制する。
【００５９】
電源スイッチ５０の可動操作部５１は、スイッチカバー４０と干渉しないので切替操作が自在である。また、電源投入状態の電源スイッチ５０の可動操作部５１は、電源遮断側に倒れ、電源投入側が起き上がっているので、可動操作部５１と当接部４７とが干渉しないことによりスイッチカバー４０の右方向へのスライド移動を許容する。
【００６０】
図１２に図示した電源ユニット１０は、電源遮断状態で電子機器収納ラック２に固定されている。
スイッチカバー４０は、ロック解除操作許容位置にあり、ロック解除規制部４４が当接部２１の可動範囲から退避して、ロック解除ボタン２０の押下操作を許容する。
【００６１】
電源スイッチ５０の可動操作部５１は、スイッチカバー４０の右方向へのスライド移動により操作規制部４８が可動操作部５１の切替操作を規制する。
ロック解除ボタン２０は、押下操作が許容された状態にあるが、弾性部材により付勢されているため退避位置にある。
【００６２】
図１３に図示した電源ユニット１０は、電源遮断状態で電子機器収納ラック２への固定が解除されている。
スイッチカバー４０は、ロック解除操作許容位置にあり、ロック解除ボタン２０が押下操作されているため左方向へのスライド移動が規制されている。そのため、スイッチカバー４０は、操作規制部４８が可動操作部５１の切替操作を規制する状態を保持する。
【００６３】
ロック解除ボタン２０は、押下操作により、つめ受入部２３がつめ３４を受け入れ可能な位置にあり、電源着脱レバー３０の時計回り方向の回動を許容する。
電源着脱レバー３０は、時計回り方向の回動により、ユニット係止部５ａと係合部３２との係合を解いて、電源ユニット１０の電子機器収納ラック２への固定を解除する。そして、電源着脱レバー３０は、ユニット係止部５ａと係合部３２との当接部位を支点にして電源ユニット１０を電子機器収納ラック２から引き出す。つめ３４をつめ受入部２３に嵌めた電源着脱レバー３０は、ロック解除ボタン２０を電源着脱操作規制解除位置に保持する。
【００６４】
このように、電源ユニット１０は、電源着脱レバー３０を回動させて電子機器収納ラック２に着脱可能な状態で電源遮断状態を保持し、電源ユニット１０の不用意な着脱操作を防止する。また、電源ユニット１０は、電源着脱レバー３０を固定した状態（図９、または図１０に図示した状態）で、電子機器収納ラック２に収納しようとした場合、係合部３２がユニット係止部５ａと干渉する。そのため、電源ユニット１０は、電子機器収納ラック２に収納される場合、電源着脱レバー３０を回動させた状態でなければならない。これにより、電源ユニット１０は、電子機器収納ラック２への着脱時に電源遮断状態であることが担保され、電源ユニット１０の不用意な着脱操作を防止する。
【００６５】
ここまで、電子機器収納ラック２に収納される電源ユニット１０について説明してきたが、電子機器ユニット３についても同様の着脱機構とすることができる。この場合、電子機器ユニット３は、電源スイッチに代えて所定の操作スイッチとしてもよい。たとえば、操作スイッチは、電子機器ユニット３が有する所定の機能のＯＮ（第２状態）／ＯＦＦ（第１状態）を切り替えるものであってもよい。また、操作スイッチは、電子機器ユニット３が有する複数の機能（第１の機能を選択する第１状態／第２の機能を選択する第２状態）を選択するものであってもよい。これにより、電子機器ユニット３は、特定の機能の選択（作動）中の不用意な着脱操作による障害を回避可能とする。
【００６６】
次に、第２の実施形態の電源スイッチについて図１４を用いて説明する。図１４は、第２の実施形態の電源スイッチとスイッチカバーの関係を示す図である。第２の実施形態は、電源スイッチ５０ａが２ボタン型プッシュボタンスイッチであるという点で、第１の実施形態と異なる。
【００６７】
図１４（ａ）は、ロック解除操作許容位置のスイッチカバー４０を示す。このとき、電源スイッチ５０ａは、電源遮断状態である。電源スイッチ５０ａは、可動操作部５１ａと可動操作部５２ａを備え、可動操作部５１ａを押下することで電源遮断状態となり、可動操作部５２ａを押下することで電源投入状態となる。電源スイッチ５０ａは、電源遮断状態で可動操作部５２ａの押下された状態が解除され、電源投入状態で可動操作部５１ａの押下された状態が解除される。
【００６８】
電源スイッチ５０ａは、電源遮断状態において可動操作部５２ａの突出量が可動操作部５１ａの突出量より大きい。電源遮断状態においてスイッチカバー４０は、当接部４７が可動操作部５１ａを超えてスイッチ状態切替規制位置までスライド移動可能である。電源遮断状態において、操作規制部４８は、可動操作部５１ａの可動範囲に干渉し、電源スイッチ５０ａの切替操作を規制する。
【００６９】
図１４（ｂ）は、ロック解除操作規制位置のスイッチカバー４０を示す。このとき、電源スイッチ５０ａは、電源投入状態であるが、電源スイッチ５０ａは、切替操作が許容された状態である。
【００７０】
電源スイッチ５０ａは、電源投入状態において可動操作部５１ａの突出量が可動操作部５２ａの突出量より大きい。電源投入状態においてスイッチカバー４０は、当接部４７が可動操作部５１ａと干渉し、スイッチ状態切替規制位置までのスライド移動ができない。
【００７１】
次に、第３の実施形態の電源スイッチについて図１５を用いて説明する。図１５は、第３の実施形態の電源スイッチとスイッチカバーの関係を示す図である。第３の実施形態は、電源スイッチ５０ｂが１ボタン型プッシュボタンスイッチであるという点で、第１の実施形態と異なる。
【００７２】
図１５（ａ）は、ロック解除操作許容位置のスイッチカバー４０を示す。このとき、電源スイッチ５０ｂは、電源遮断状態である。電源スイッチ５０ｂは、可動操作部５１ｂを備え、可動操作部５１ｂを押下状態とすることで電源遮断状態となり、可動操作部５１ｂを突出状態とすることで電源投入状態となる。
【００７３】
電源スイッチ５０ｂは、電源遮断状態よりも電源投入状態において可動操作部５１ｂの突出量が大きい。電源遮断状態においてスイッチカバー４０は、当接部４７が可動操作部５１ｂとの当接位置を超えてスイッチ状態切替規制位置までスライド移動可能である。電源遮断状態において、操作規制部４８は、可動操作部５１ｂの可動範囲に干渉し、電源スイッチ５０ｂの切替操作を規制する。
【００７４】
図１５（ｂ）は、ロック解除操作規制位置のスイッチカバー４０を示す。このとき、電源スイッチ５０ｂは、電源投入状態であるが、電源スイッチ５０ｂは、切替操作が許容された状態である。
【００７５】
電源スイッチ５０ｂは、電源投入状態において可動操作部５１ｂの突出量が電源遮断状態における突出量より大きい。電源投入状態においてスイッチカバー４０は、当接部４７が可動操作部５１ｂと干渉し、スイッチ状態切替規制位置までのスライド移動ができない。
【００７６】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【００７７】
１……電子機器装置、２……電子機器収納ラック、３……電子機器ユニット、４……ラックガイド、５……ユニット係止部、１０……電源ユニット、２０……ロック解除ボタン、３０……電源着脱レバー、３１……通風開口部、４０……スイッチカバー、４１……操作開口部、４２……スライド操作部、４３……通風開口部、４４……ロック解除規制部、５０……電源スイッチ、５１……可動操作部、６０……前面カバー、６１……通風開口部、６２……操作開口部、８０……ファン、８１……ファン
【図１】
2011222730.tif 000003
【図２】
2011222730.tif 000004
【図３】
2011222730.tif 000005
【図４】
2011222730.tif 000006
【図５】
2011222730.tif 000007
【図６】
2011222730.tif 000008
【図７】
2011222730.tif 000009
【図８】
2011222730.tif 000010
【図９】
2011222730.tif 000011
【図１０】
2011222730.tif 000012
【図１１】
2011222730.tif 000013
【図１２】
2011222730.tif 000014
【図１３】
2011222730.tif 000015
【図１４】
2011222730.tif 000016
【図１５】
2011222730.tif 000017